(57)【要約】      （修正有）【課題】麦飯石による効能を有する浴槽において、麦飯石の手入れが不要で、且つ弱酸性の湯を弱アルカリ性に短時間で変化させる浴槽装置を提供する。【解決手段】浴槽２と、該浴槽の側壁２１に開設した孔２３から圧力空気を噴射可能な圧力空気噴射装置４と、浴槽の湯に投入する麦飯石の粉末とからなる。孔２３には、圧力空気噴射装置４の圧力空気噴射管４２を繋いでいる。【選択図】図１
0003157420.tif 000002
【実用新案登録請求の範囲】
【請求項１】
浴槽(２)と、該浴槽内の湯に投入する麦飯石の粉末と、浴槽内に圧力空気を噴射するための圧力空気噴射装置とからなる、浴槽装置。
【請求項２】
浴槽(２)の側壁(21)に開設した孔(23)に圧力空気噴射装置(４)の一部を成す圧力空気噴射管(42)を繋いでいる、請求項１に記載の浴槽装置。
【請求項３】
浴槽(２)の側壁は内外二重構造で、内、外両側壁(20)(21)の間に浴槽内エアー配管(43)がなされ、該浴槽内エアー配管(43)を通じて供給された圧力空気を内側壁に開設した孔(23)から浴槽内へ噴射可能である、請求項１に記載の浴槽装置。
【考案の詳細な説明】
【技術分野】
【０００１】
本考案は、麦飯石と気泡流の効能を付与できる浴槽装置に関するものである。
【背景技術】
【０００２】
麦飯石を収容した通水性の容器を浴槽に沈めて、麦飯石から溶出するミネラル成分によって、及び、麦飯石が発する遠赤外線によって、疲労回復、温熱効果を得ることが行われている(特許文献１)。
又、浴槽に圧力空気を吹き込んで、気泡流を発生させ、気泡流によるマッサージ効果と、気泡が破裂する時に発する超音波によるマッサージ効果を得ることも行われている。
又、麦飯石には、分子レベルで物質を吸着する働きがあり、水に入れると、残留塩素や雑菌等の不純物を吸い取り、水を清浄化する作用があることも知られている。
又、麦飯石は物理吸着のみならず、化学吸着力がある。即ち、残留塩素や臭いの素を吸い取って、さらに分解する能力を有している。物理吸着と化学吸着の２種類の吸着作用が麦飯石の強みである。
【先行技術文献】
【特許文献】
【０００３】
【特許文献１】特開２００３−１３５２９９号公報
【考案の概要】
【考案が解決しようとする課題】
【０００４】
麦飯石に浴槽中の不純物が吸着されるということは、定期的に麦飯石を洗浄して表面を綺麗にしておく必要がある。ところがこの作業が面倒であるため怠り勝ちとなり、麦飯石の効能を十分に発揮させないまま使用していることが多い。
【０００５】
他方、浴槽の湯は、弱アルカリ性の方が湯冷めし難い。水道水のpHは市町村によって異なるが、基準値は、pH5.8以上、8.6以下であり、弱酸性のところも多い。
麦飯石が水質の調節効果があることが知られており、出願人は、pH6.8の水２リットルに小石状の麦飯石を沈め、pH7.2になるまでの時間を計ったところ約６時間を要した。これでは時間が掛かりすぎて、弱酸性の水を弱アルカリ性に変えて入浴するのは実際的ではない。
【０００６】
本考案は、麦飯石による効能を有する浴槽において、麦飯石を粉末にして使い捨てとすることで麦飯石の手入が不要で、且つ浴槽の汚れを簡単に落とすことができ、更に、浴槽に圧力空気を吹き込んで、気泡流によるマッサージ効果と、気泡が破裂する時に発する超音波によるマッサージ効果を奏すること及び、麦飯石粉末と気泡流の相乗効果により、弱酸性の湯を弱アルカリ性に短時間で変化させることにより、手軽に弱アルカリ性の湯に浸かることのできる、浴槽装置を明らかにするものである。
【課題を解決するための手段】
【０００７】
請求項１の浴槽装置は、浴槽(２)と、該浴槽内の湯に投入する麦飯石の粉末と、浴槽内に圧力空気を噴射するための圧力空気噴射装置とからなる。
【０００８】
請求項２は、請求項１の浴槽装置において、浴槽(２)の側壁(21)に開設した孔(23)に圧力空気噴射装置(４)の一部を成す圧力空気噴射管(42)を繋いでいる。
【０００９】
請求項３は、請求項１の浴槽装置において、浴槽(２)の側壁は内外二重構造で、内、外両側壁(20)(21)の間に浴槽内エアー配管(43)がなされ、該浴槽内エアー配管(43)を通じて供給された圧力空気を内側壁に開設した孔(23)から浴槽内へ噴射可能である。
【考案の効果】
【００１０】
請求項１の浴槽装置は、麦飯石から湯に溶出するミネラル成分によって、及び、麦飯石が発する遠赤外線によって、疲労回復、温熱効果を得ることができるが。麦飯石を粉末にしたことで、同量の麦飯石の塊を湯に投入した場合に較べて、湯との接触面が飛躍的に増えて、ミネラル成分の溶出量も増加し、その効果は顕著である。
又、浴槽(２)に吹き込まれる圧力空気が気泡流を発生させ、気泡流によるマッサージ効果と、気泡が破裂する時に発する超音波によるマッサージ効果を得ることもできる。
【００１１】
又、pH6.8の水２リットルに、麦飯石粉末２ｇを入れ、チューブにより水中に圧力空気を連続して吹き込んだところ、pH7.2に達するのに３０分を要しただけであった。
これは、気泡流によって水が撹拌されて、水が麦飯石に接する機会が増えて、反応が急速に進むためと考えられる。
従って、弱酸性の湯を弱アルカリ性の湯に変えることに長時間を要する問題は解決できる。
弱アルカリ性の湯は、保温性に優れ、湯冷めし難い効果を奏する。
【００１２】
気泡流によって水が撹拌されて、残留塩素や雑菌等の不純物を吸い取る働きをより活発にして、湯を清浄化する作用を向上させることができる。
【００１３】
しかも、湯に混じった麦飯石の粉末が、気泡流に乗って浴槽の壁を擦ることで、該壁面に湯垢が付着することは防止され、浴槽(２)の掃除の際に、洗剤がしみ込んだスポンジ等で浴槽の壁面を擦って湯垢を擦りとる作業は不要となる。
浴槽の湯を排出すると、湯と一緒に麦飯石の粉末も排出されるから、浴槽の底に残留した麦飯石の粉末を水で洗い流す程度で済むので、風呂掃除を簡単且つ素早く行うことができる。
【００１４】
請求項２の浴槽装置は、浴槽(２)の側壁(21)に圧力空気噴射管(42)を繋ぐだけでよいから、構成を簡素化できる。
【００１５】
請求項３の浴槽装置は、既存の浴槽(１)の側壁の内側に内側壁を設け、内、外両側壁(20)(21)の間に浴槽内エアー配管(43)を施し、該浴槽内エアー配管(43)に圧力空気噴射装置(４)の一部を成す圧力空気送給管(42)を接続すればよいので、既存の浴槽を浴槽装置の一部に使用することができる。
【図面の簡単な説明】
【００１６】
【図１】第１実施例の浴槽装置の縦断面図である。
【図２】図１Ａ−Ａ線に沿う断面図である。
【図３】第２実施例の縦断面図である。
【図４】図３Ｂ−Ｂ線に沿う断面図である。
【考案を実施するための形態】
【００１７】
［第１実施例］
図１、図２に示す如く、浴槽装置(１)は浴槽(２)と圧力空気噴射装置(４)とからなる。
上面開口の略直方体の浴槽(２)の四方の側壁は、外側壁(21)と内側壁(20)の二重構造となっている。
外側壁(21)と内側壁(20)との隙間(24)の幅は、後記するエアー配管(43)を収容可能であれば、狭い方がよい。隙間(24)の上端は全周に亘って気密に閉じられている。
上記浴槽(２)の材質は、浴槽としての耐久性があれば、材質は檜、ステンレス、琺瑯、強化プラスチック等、種類は問わない。
【００１８】
内側壁(20)には、多数の孔(23)が開設されている。
実施例の孔(23)は、直径約２cmで、縦横４〜５cmピッチで規則的に開設されているる。
【００１９】
上記浴槽(２)に圧力空気噴射装置(４)が連繋される。
圧力空気噴射装置(４)は、浴槽(２)の外に位置するコンプレッサー(41)と、浴槽(２)内に配備される浴槽内エアー配管(43)と、コンプレッサー(41)と浴槽内エアー配管(43)を接続する圧力空気送給管(42)とによって構成される。
【００２０】
浴槽内エアー配管(43)は、浴槽(２)の外側壁(21)と内側壁(20)との間の隙間(24)に配備される。実施例では１本の管を蛇行させて、四方の麦飯石の側壁(３)に沿う様に配設されている。
浴槽内エアー配管(43)の周面には多数の小孔(図示せず)が開設されている。
【００２１】
上記浴槽(２)内の湯に、湯１０リットルに対して、１０ｇの割合で麦飯石の粉末を投入する。  麦飯石粉末の粒は、細かいほど望ましいが、実施例の麦飯石粉末の粒度は１００メッシュ    であった。
【００２２】
麦飯石粉末を投入した湯に浸かると、麦飯石から湯に溶出するミネラル成分によって、及び、麦飯石が発する遠赤外線によって、疲労回復、温熱効果を得ることができる。
麦飯石を粉末にしたことで、同量の麦飯石の塊を湯に投入した場合に較べて、湯との接触面が飛躍的に増えて、ミネラル成分の溶出量も増加し、その効果は顕著である。
又、コンプレッサー(41)を運転すると、浴槽内エアー配管(43)の周面の多数の小孔から噴射された圧力空気は、浴槽内側壁(20)の孔(23)から浴槽(２)に流出して、気泡流を発生させ、気泡流によるマッサージ効果と、気泡が破裂する時に発する超音波によるマッサージ効果を得ることもできる。
【００２３】
気泡流によって湯が撹拌されて、残留塩素や雑菌等の不純物を吸い取る働きがより活発になり、湯を清浄化する作用を向上させることができる。
【００２４】
しかも、湯に混じった麦飯石粉末が、気泡流に乗って浴槽の壁を擦ることで、該壁面に湯垢が付着することは防止される。このため、浴槽の掃除の際に、洗剤がしみ込んだスポンジ等で浴槽の壁面を擦って湯垢を擦りとる、主婦にとって重労働である作業は不要となる。
浴槽の湯を排出すると、湯と一緒に麦飯石粉末も排出され、浴槽の底に残留した麦飯石粉末を水で洗い流す程度で済むので、風呂掃除を簡単且つ素早く行うことができる。
【００２５】
［第２実施例］
図３、図４は本考案の第２実施例を示している。
前記第１実施例の浴槽(２)の側壁が二重構造であったのに対し、第２実施例の略直方体の浴槽(２)の側壁(21)は一重構造である。
【００２６】
浴槽(２)の１又は複数の側壁(21)に圧力空気噴射装置(４)が連繋される。
圧力空気噴射装置(４)は、コンプレッサー(41)と、浴槽(２)の側壁(21)に開設された複数の孔(23)どうしを繋ぐヘッダー配管(44)と、コンプレッサー(41)をヘッダー配管(44)に接続する圧力空気送給管(42)とによって構成される。
浴槽(２)内の湯に、第１実施例と同じ割合で麦飯石粉末を投入する。
【００２７】
第２実施例の浴槽装置も、第１実施例と同様にして、麦飯石粉末から湯に溶出するミネラル成分によって、及び、麦飯石が発する遠赤外線によって、疲労回復、温熱効果を得ることができる。
又、コンプレッサー(41)を運転すると、ヘッダー配管(44)から浴槽内へ送られた圧力空気が気泡流を発生させ、気泡流によるマッサージ効果と、気泡が破裂する時に発する超音波によるマッサージ効果を得ることもできる。
【００２８】
実験例
従来型の浴槽と本考案の浴槽に、５人の被験者に浸かってもらい、感想を求めた。
以下の「結果」は５人の平均値である。
従来の浴槽
条件
浴槽：夫々内面の横長さ９０cm、奥行き７０cm、高さ５５cm。
容量は約３５０リットル。２００リットルの湯を容れ、湯温を４０°に保っ            た。
結果：暖まってきたと感じるまでに約３０分を要した。
湯から出て約１時間で寒さを感じた。
比較例の浴槽
条件
浴槽：上記従来型の浴槽と同じ条件の湯に対して、粒度１００メッシュの麦飯石粉            末を２００ｇ投入した。
結果：暖まってきたと感じるまでに約２０分を要した。
湯から出て約２時間で寒さを感じた。
本考案の浴槽
浴槽：上記従来型の浴槽の条件に加えてコンプレッサーに連繋した圧力空気噴射              ノズルを、浴槽の対向する壁面の一方から他方へ圧力空気を発射する様に              セットし、湯に気泡流れを生じさせた。
結果：暖まってきたと感じるまでに約１５分を要するだけであった。
湯から出て約４時間程度は暖かく感じた。
【００２９】
上記実施例の説明は、本考案を説明するためのものであって、実用新案登録請求の範囲に記載の考案を限定し、或は範囲を減縮する様に解すべきではない。又、本考案の各部構成は上記実施例に限らず、実用新案登録請求の範囲に記載の技術的範囲内で種々の変形が可能であることは勿論である。
【符号の説明】
【００３０】
１  浴槽装置
２  浴槽
20  側壁
21  内側壁
４  圧力空気噴射装置
【図１】
0003157420.tif 000003
【図２】
0003157420.tif 000004
【図３】
0003157420.tif 000005
【図４】
0003157420.tif 000006